(57)【要約】  サービス切り離しの一時無効の許可を柔軟に設定可能としセキュリティ性を向上するエレベーターの制御装置を提供する。このため、フロア毎に呼び登録を禁止するサービス切り離しを行うエレベーター制御装置において、フロア毎に、レベル１とレベル２のサービス切り離しレベルを設定するサービス切り離しレベル設定部と、利用者が所望するフロアへの呼び登録操作を行うための呼び登録部と、呼び登録部が操作されると、所望するフロアについてレベル１又はレベル２が設定されている場合には当該フロアへの呼び登録を禁止し、所望するフロアについてレベル１及びレベル２のいずれも設定されていない場合には当該フロアへの呼び登録を行う呼び登録制御部と、を備え、呼び登録制御部は、所望するフロアについてレベル１が設定されていても、当該フロアを指定する一時解除信号が入力された場合には、当該フロアへの呼び登録を行う。
2012157092.tif 000002
【特許請求の範囲】
【請求項１】
建物のフロア毎について、当該フロアへの呼び登録を禁止するサービス切り離しを行うエレベーター制御装置において、
前記フロア毎について、第１のサービス切り離しレベルと第２のサービス切り離しレベルの２つのサービス切り離しレベルを設定するサービス切り離しレベル設定部と、
利用者が所望するフロアへの呼び登録操作を行うための呼び登録部と、
前記呼び登録部が操作されると、前記所望するフロアについて前記第１のサービス切り離しレベル又は前記第２のサービス切り離しレベルが設定されている場合には当該フロアへの呼び登録を禁止し、前記所望するフロアについて前記第１のサービス切り離しレベル及び前記第２のサービス切り離しレベルのいずれも設定されていない場合には当該フロアへの呼び登録を行う呼び登録制御部と、を備え、
前記呼び登録制御部は、前記所望するフロアについて前記第１のサービス切り離しレベルが設定されていても、当該フロアを指定する一時解除信号が入力された場合には、当該フロアへの呼び登録を行うことを特徴とするエレベーターの制御装置。
【請求項２】
前記呼び登録制御部は、前記所望するフロアについて前記第１のサービス切り離しレベルが設定されていても、当該フロアを指定する一時解除信号が入力された場合に、前記一時解除信号が入力されてから所定時間以内に、前記呼び登録部において当該フロアへの呼び登録操作が行われた時に、当該フロアへの呼び登録を行うことを特徴とする請求項１に記載のエレベーターの制御装置。
【請求項３】
前記サービス切り離しレベル設定部は、上方向乗場呼び及び下方向乗場呼び並びにかご呼びについて、それぞれ別個に前記サービス切り離しレベルを設定可能であることを特徴とする請求項１又は請求項２のいずれかに記載のエレベーターの制御装置。
【請求項４】
前記呼び登録制御部は、前記所望するフロアについて前記第１のサービス切り離しレベル又は前記第２のサービス切り離しレベルが設定されていても、利用者が要人である旨の信号が入力された場合には、前記建物の全フロアへの呼び登録を可能とすることを特徴とする請求項１から請求項３のいずれかに記載のエレベーターの制御装置。
【請求項５】
エレベーターのかごが無人となった場合に、所定のフロアにおいて当該無人となったかごを待機させる無人かご待機動作部を備え、
前記無人かご待機動作部は、前記所定のフロアに設定されている前記サービス切り離しレベルに応じて、当該フロアにおいて前記かごを待機させるか否かを決定することを特徴とする請求項１から請求項４のいずれかに記載のエレベーターの制御装置。
【請求項６】
エレベーターの運行状況を表示するエレベーター監視盤を備え、
前記エレベーター監視盤は、前記フロア毎に設定された前記サービス切り離しレベルの情報を表示することを特徴とする請求項１から請求項５のいずれかに記載のエレベーターの制御装置。
【請求項７】
前記エレベーター監視盤は、前記第１のサービス切り離しレベルに設定されているフロアと前記第２のサービス切り離しレベルに設定されているフロアとを区別可能に表示することを特徴とする請求項６に記載のエレベーターの制御装置。
【請求項８】
前記エレベーター監視盤は、前記第１のサービス切り離しレベルが設定されているフロアについて当該フロアを指定する一時解除信号が入力された場合には、当該フロアを呼び登録可能なフロアとして表示することを特徴とする請求項６又は請求項７のいずれかに記載のエレベーターの制御装置。
【発明の詳細な説明】
【技術分野】
【０００１】
この発明は、エレベーターの制御装置に関するものである。
【背景技術】
【０００２】
従来においては、エレベーターが設置された建物内において、テナントが一つも入居していなかったり、オフィスフロアであったりして一般の利用者が乗降する必要のないフロアや、時間帯によって利用者の乗降を禁止する必要があるフロアがある場合には、これらフロアに対する乗場呼び及びかご呼びの登録を禁止するサービス切り離し機能を備えたエレベーターがある。【０００３】
そして、このようなサービス切り離し機能を備えた従来のエレベーターにおいては、特定のカード所持者は特定のフロアへとエレベーターで移動できるようにするため、カードリーダによってカードに記憶されたフロアを読み取り、この読み取ったフロアに対するサービス切り離しを無効にしてエレベーターかご内の行先ボタンの操作による当該フロアへの呼び登録を可能とするとともに、当該フロアに対応する行先ボタン灯を点灯させるものが知られている（例えば、特許文献１参照）。【０００４】
また、同じくサービス切り離し機能を備えた従来のエレベーターにおいて、建物の基準階に設置したカードリーダによってカードに記憶されたフロアを読み取り、この読み取ったフロアに対するサービス切り離しを無効にして基準階と当該フロアとの間でエレベーターを独立運転させるものも知られている（例えば、特許文献２参照）。【０００５】
また、集合住宅に設置されたエレベーターにおいて、集合住宅の玄関に設置されたＩＤ照合装置の照合により玄関扉を解錠して玄関階への乗場呼びを登録するとともに、エレベーターかごが玄関階に到着した後、かご内に利用者が乗車したことを検出すると目的階を自動的に登録し、玄関階以外のかご呼び登録を不可とするものも従来において知られている（例えば、特許文献３参照）。
【先行技術文献】
【特許文献】
【０００６】
【特許文献１】日本特開平０５−０５８５６４号公報
【特許文献２】日本特開平０３−０８３７７４号公報
【特許文献３】日本特開２００５−２４７４３９号公報
【発明の概要】
【発明が解決しようとする課題】
【０００７】
このように、特許文献１から特許文献３に示された従来におけるエレベーターは、カードによる照合等によって一時的にサービス切り離しを無効にして特定のフロアへの呼び登録を可能とするものである。【０００８】
しかしながら、これらの特許文献に示された従来におけるエレベーターにおいては、カードによる照合等が行われた場合に常に特定のフロアに対するサービス切り離しを無効としてしまう。そして、このため、例えば夜間等の特定の時間帯に、カードによる照合等が行われた時にも特定のフロアに対するサービス切り離しを維持したい場合であっても、そのようにサービスを切り離した状態を維持することが困難であるという課題がある。【０００９】
この発明は、このような課題を解決するためになされたもので、あるフロアについて、サービス切り離しの一時的な無効を許可するのか、あるいは、サービスを切り離した状態を維持するのかを柔軟に設定することが可能であり、エレベーターが設置された建物のセキュリティ性を向上することができるエレベーターの制御装置を得るものである。
【課題を解決するための手段】
【００１０】
この発明に係るエレベーターの制御装置は、建物のフロア毎について、当該フロアへの呼び登録を禁止するサービス切り離しを行うエレベーター制御装置において、前記フロア毎について、第１のサービス切り離しレベルと第２のサービス切り離しレベルの２つのサービス切り離しレベルを設定するサービス切り離しレベル設定部と、利用者が所望するフロアへの呼び登録操作を行うための呼び登録部と、前記呼び登録部が操作されると、前記所望するフロアについて前記第１のサービス切り離しレベル又は前記第２のサービス切り離しレベルが設定されている場合には当該フロアへの呼び登録を禁止し、前記所望するフロアについて前記第１のサービス切り離しレベル及び前記第２のサービス切り離しレベルのいずれも設定されていない場合には当該フロアへの呼び登録を行う呼び登録制御部と、を備え、前記呼び登録制御部は、前記所望するフロアについて前記第１のサービス切り離しレベルが設定されていても、当該フロアを指定する一時解除信号が入力された場合には、当該フロアへの呼び登録を行う構成とする。
【発明の効果】
【００１１】
この発明に係るエレベーターの制御装置においては、あるフロアについて、サービス切り離しの一時的な無効を許可するのか、あるいは、サービスを切り離した状態を維持するのかを柔軟に設定することが可能であり、エレベーターが設置された建物のセキュリティ性を向上することができるという効果を奏する。
【図面の簡単な説明】
【００１２】
【図１】この発明の実施の形態１に係るエレベーターの制御装置の全体構成を示すブロック図である。
【図２】この発明の実施の形態１に係るエレベーター監視盤に表示するエレベーター運転状況の表示例を示す図である。
【図３】この発明の実施の形態１に係るエレベーターの制御装置の動作を示すフロー図である。
【発明を実施するための形態】
【００１３】
実施の形態１．
図１から図３は、この発明の実施の形態１に係るもので、図１はエレベーターの制御装置の全体構成を示すブロック図、図２はエレベーター監視盤に表示するエレベーター運転状況の表示例を示す図、図３はエレベーターの制御装置の動作を示すフロー図である。
【００１４】
図１において、１は、複数のエレベーターかごの運行を一群（バンク）として管理制御する群管理制御装置である。この群管理制御装置１は、エレベーターが設置された建物の各フロアについてエレベーターによるサービスを提供しないフロアを設定するサービス切り離し機能を有している。あるフロアについてサービスを切り離すとは、当該フロアへの乗場呼び及びかご呼びの登録を不可とするということと同じことを意味する。
【００１５】
このサービス切り離し機能を実現するため、群管理制御装置１には、各フロア毎にサービス切り離しレベルを設定するサービス切り離しレベル設定部１１が備えられている。このサービス切り離しレベル設定部１１により設定されるサービス切り離しレベルには、レベル１（第１のレベル）とレベル２（第２のレベル）の２つのレベルがある。また、もちろんサービス切り離し無しにも設定できるため、この切り離し無しも含めると、各フロアのサービス切り離し状態は、切り離し無し、レベル１及びレベル２の全部で３段階あることになる。
【００１６】
サービス切り離しレベル１は、群管理制御装置１の外部から一時解除信号（後述）が入力された場合に、当該フロアのサービス切り離しを一時的に解除して、当該フロアへの乗場呼び及びかご呼びの登録を可能とするサービス切り離しレベルである。これに対し、サービス切り離しレベル２は、群管理制御装置１の外部から一時解除信号が入力されたとしても、当該フロアのサービス切り離しの一時的な解除を許可しないサービス切り離しレベルである。すなわち、当該フロアについてサービスが切り離された状態が維持され、当該フロアへの乗場呼び及びかご呼びの登録は不可のままとなる。
【００１７】
複数のエレベーターかごのそれぞれの運転は、各エレベーターかご毎に設けられたかご制御装置（かご制御装置Ａ２ａ、かご制御装置Ｂ２ｂ）により制御される。かご制御装置Ａ２ａ及びかご制御装置Ｂ２ｂは、群管理制御装置１による制御の下で、各エレベーターかごの運転を制御する。各エレベーターかご内には、かご内の利用者が所望する行先階へのかご呼びを登録するためのかご呼び登録部（かご呼び登録部Ａ２１ａ、かご呼び登録部Ｂ２１ｂ）が設置されている。これらのかご呼び登録部Ａ２１ａ及びかご呼び登録部Ｂ２１ｂには、利用者が所望する行先階を指定するための行先階ボタンがそれぞれ備えられている。
【００１８】
かご制御装置Ａ２ａ及びかご制御装置Ｂ２ｂには、かご呼び登録部Ａ２１ａ及びかご呼び登録部Ｂ２１ｂの操作内容に基づいて、かご呼びを登録するかご呼び登録制御部Ａ２２ａ及びかご呼び登録制御部Ｂ２２ｂがそれぞれ備えられている。これらのかご呼び登録制御部Ａ２２ａ及びかご呼び登録制御部Ｂ２２ｂは、利用者により操作されたかご呼び登録部Ａ２１ａ及びかご呼び登録部Ｂ２１ｂの行先階ボタンに対応するフロアを行先階とするかご呼びを登録する。
【００１９】
各フロアの乗場には、乗場の利用者が当該乗場への乗場呼びを登録するための乗場呼び登録装置３がそれぞれ設置されている。これらの乗場呼び登録装置３には、上方向への乗場呼びを登録するための上方向ボタンと下方向への乗場呼びを登録するための下方向ボタンとが設けられている（ただし、最上階及び最下階についてはこれらのボタンのうちいずれか一方のみが設けられる）。利用者により乗場呼び登録装置３の上方向ボタン又は下方向ボタンが操作されると、この操作内容は群管理制御装置１へと送信される。
【００２０】
群管理制御装置１には、乗場呼び登録装置３から送信された操作内容に基づいて、乗場呼びを登録する乗場呼び登録制御部１２が備えられている。この乗場呼び登録制御部１２は、乗場呼び登録装置３が操作されると、この操作された乗場呼び登録装置３が設置されたフロアのサービス切り離しレベルを確認し、当該フロアへの乗場呼びを登録するか否かを判断する。すなわち、乗場呼び登録制御部１２は、操作された乗場呼び登録装置３が設置されたフロアのサービス切り離しレベルが、レベル１又はレベル２に設定されていた場合には、当該フロアへの乗場呼びを登録しない。
【００２１】
一方、当該フロアのサービス切り離しレベルが切り離し無しであった場合には、乗場呼び登録制御部１２は、当該フロアへの乗場呼びを登録するとともに、この登録した乗場呼びに対して割り当てるエレベーターかごを決定する。群管理制御装置１は、乗場呼びに割り当てたエレベーターかごを制御するかご制御装置へと呼び応答指令を送信し、かご制御装置は呼び応答指令に従ってエレベーターかごを乗場呼びに応答させる。
【００２２】
群管理制御装置１には、サービス切り離しレベル設定部１１により各フロア毎に設定されたサービス切り離しレベルの情報を、かご制御装置Ａ２ａ及びかご制御装置Ｂ２ｂへと送信するサービス切り離しレベル情報送信部１３が備えられている。かご制御装置Ａ２ａ及びかご制御装置Ｂ２ｂは、このサービス切り離しレベル情報送信部１３から送信された各フロア毎のサービス切り離しレベル情報を参照し、かご呼び登録部Ａ２１ａ又はかご呼び登録部Ｂ２１ｂが操作された際に、かご呼びを登録するか否かを判断する。
【００２３】
より詳しくは、かご呼び登録制御部Ａ２２ａ及びかご呼び登録制御部Ｂ２２ｂは、利用者により操作されたかご呼び登録部Ａ２１ａ及びかご呼び登録部Ｂ２１ｂの行先階ボタンに対応する行先階のサービス切り離しレベルが、レベル１又はレベル２に設定されていた場合には、当該行先階へのかご呼びを登録しない。逆に、当該行先階のサービス切り離しレベルが切り離し無しであった場合には、当該行先階へのかご呼びを登録する。
【００２４】
一時解除信号入力装置４は、指定したフロアに対するサービス切り離しを一時的に解除して当該フロアへの乗場呼び及びかご呼びの登録を可能とする一時解除信号を、群管理制御装置１やかご制御装置Ａ２ａ及びかご制御装置Ｂ２ｂに入力するためのものである。
【００２５】
この一時解除信号入力装置４は、例えば、エレベーターの利用者が所持するカードに記憶された情報を読み取るカードリーダ等によって構成されている。そして、このカードリーダの例では、利用者がカードリーダにカードの情報を読み取らせると、カードリーダは、読み取った情報からサービス切り離しを一時的に解除する対象となるフロアを決定し、当該フロアを指定した一時解除信号を群管理制御装置１やかご制御装置Ａ２ａ及びかご制御装置Ｂ２ｂに入力する。
【００２６】
一時解除信号入力装置４によって群管理制御装置１に一時解除信号が入力されると、乗場呼び登録制御部１２は、入力された一時解除信号が指定するフロアのサービス切り離しレベルがレベル１に設定されていた場合には、当該一時解除信号が入力されてから所定時間が経過するまで、当該フロアへの乗場呼びの登録を可能とする。
【００２７】
従って、一時解除信号が入力されてから所定時間以内に、当該一時解除信号が指定するフロアの乗場呼び登録装置３が操作された場合には、乗場呼び登録制御部１２は、当該フロアへの乗場呼びを登録する。一時解除信号が入力されてから所定時間が経過すると、当該フロアのサービス切り離しは有効となる。
【００２８】
また、入力された一時解除信号が指定するフロアのサービス切り離しレベルがレベル２に設定されていた場合には、当該フロアについてサービスが切り離された状態が維持される。従って、当該フロアに設置された乗場呼び登録装置３が操作されても乗場呼びは登録されない。
【００２９】
一時解除信号入力装置４によってかご制御装置Ａ２ａ及びかご制御装置Ｂ２ｂに一時解除信号が入力されると、これらのかご制御装置Ａ２ａ及びかご制御装置Ｂ２ｂは、入力された一時解除信号が指定するフロアのサービス切り離しレベルがレベル１に設定されていた場合には、当該一時解除信号が入力されてから所定時間が経過するまで、当該フロアを行先階とするかご呼びの登録を可能とする。
【００３０】
従って、一時解除信号が入力されてから所定時間以内に、かご呼び登録部Ａ２１ａ又はかご呼び登録部Ｂ２１ｂの、当該一時解除信号が指定するフロアに対応する行先階ボタンが操作された場合には、かご呼び登録制御部Ａ２２ａ又はかご呼び登録制御部Ｂ２２ｂは、当該フロアを行先階とするかご呼びを登録する。一時解除信号が入力されてから所定時間が経過すると、当該フロアのサービス切り離しは有効となる。ここで、かご呼び登録制御部Ａ２２ａ及びかご呼び登録制御部Ｂ２２ｂは、入力された一時解除信号が指定するフロアを行先階とするかご呼びを自動的に登録するようにしてもよい。
【００３１】
また、入力された一時解除信号が指定するフロアのサービス切り離しレベルがレベル２に設定されていた場合には、当該フロアについてサービスが切り離された状態が維持される。従って、当該フロアに対応する行先階ボタンが操作されてもかご呼びは登録されない。
【００３２】
なお、サービス切り離しレベル設定手段１１によって、同一フロアについてレベル１とレベル２の両方のサービス切り離しレベルが設定された場合は、レベル２の方を優先する。従って、一時解除信号入力装置４により一時解除信号が入力されても、当該フロアはサービスが切り離された状態が維持され、当該フロアへの乗場呼び及びかご呼びの登録は不可とされる。
【００３３】
群管理制御装置１には、かご内に利用者がいない無人状態となった場合には、この無人のかごを予め定めた所定のフロアで戸閉待機させる無人かご待機動作部１４が備えられている。この無人かご待機動作部１４により無人のかごを待機させる所定のフロアは、例えば、上層フロアゾーン及び下層フロアゾーンのそれぞれに各かごを待機させるように定めてもよい。また、例えば、この所定のフロアを主階床にしてもよい。さらにまた、群管理された運転パターンによって、無人のかごを待機させるフロアを変えるようにしてもよい。
【００３４】
そして、この無人かご待機動作部１４は、無人となったかごを所定のフロアで待機させるにあたり、この所定のフロアのサービス切り離しレベルによって所定のフロアに無人のかごを待機させるか否かを判断する。具体的には、所定のフロアのサービス切り離しレベルが、レベル１に設定されていた場合には当該フロアでの待機を可能とするが、レベル２に設定されていた場合には当該フロアでの待機を不可とする。あるいは、所定のフロアのサービス切り離しレベルが、レベル１及びレベル２のいずれかに設定されていた場合には当該フロアでの待機を不可としてもよい。
【００３５】
なお、利用者が特別な要人（ＶＩＰ：Ｖｅｒｙ  Ｉｍｐｏｒｔａｎｔ  Ｐｅｒｓｏｎ）である場合には、一時解除信号入力装置４や他の何らかの入力手段を用いて利用者がＶＩＰである旨を群管理制御装置１やかご制御装置Ａ２ａ及びかご制御装置Ａ２ａに入力できるようにすることも可能である。そして、この利用者がＶＩＰである旨が入力された場合には、サービス切り離しレベル設定部１１によりレベル１又はレベル２に設定されたフロアがあったとしても、建物の全てのフロアについてサービス切り離しを無効とするようにしてもよい。
【００３６】
エレベーター監視盤５は、主に群管理制御装置１から送信される情報に基づいて、群管理制御装置１が管理制御するエレベーターの運行状況を表示するものである。群管理制御装置１のサービス切り離しレベル情報送信部１３は、このエレベーター監視盤５へと各フロアに設定されているサービス切り離しレベルの情報を送信している。また、群管理制御装置１には、一時解除信号入力装置４から一時解除信号が入力された場合に、各フロアのサービス切り離しについての一時解除情報をエレベーター監視盤５へと送信するサービス切り離し一時解除情報送信部１５が備えられている。
【００３７】
エレベーター監視盤５は、これらのサービス切り離しレベル情報送信部１３及びサービス切り離し一時解除情報送信部１５から送信された情報に基づいて、エレベーターの運行状況を表示する。図２に、このエレベーター監視盤５に表示するエレベーター運転状況の表示例を示す。
【００３８】
まず、この例においては、２Ｆ、３Ｆ、５Ｆ及び７Ｆのサービス切り離しレベルがレベル１に設定されている。これらのサービス切り離しレベル１フロア５１は、サービス切り離しの一時解除が可能であり、１本の斜線で表示されている。また、８Ｆのサービス切り離しレベルはレベル２に設定されている。このサービス切り離しレベル２フロア５２は、サービス切り離しの一時解除が不可であり、Ｘ字状に交差する２本の斜線で表示されている。
【００３９】
さらに、この図２の表示例においては、登録済みであって、かつ、未応答である登録済み乗場呼び５３は、三角状の記号で表示されている。この三角状の向きは登録済み乗場呼び５３の方向（上方向又は下方向）を表す。また、登録済みであって、かつ未応答の登録済みかご呼び５４は、円形状の記号で表示されている。そして、各エレベーターかごの位置及び状態（進向方向や待機状態にあるか否か等）は、かご位置５５によって表されている。
【００４０】
なお、ここでは、エレベーター監視盤５において、サービス切り離しレベル１フロア５１とサービス切り離しレベル２フロア５２の双方を表示したが、サービス切り離しレベル２フロア５２のみを表示するようにしてもよい。
【００４１】
また、サービス切り離しレベル１フロア５１とサービス切り離しレベル２フロア５２の双方を表示する際に、サービス切り離しレベル１フロア５１の表示方法とサービス切り離しレベル２フロア５２の表示方法とを異なるものとしたが、同一の表示方法で双方を表示するようにしてもよい。
【００４２】
さらにまた、サービス切り離しレベル１フロア５１とサービス切り離しレベル２フロア５２の双方を表示する場合に、サービス切り離し一時解除情報送信部１５からの情報を受信した時に、サービス切り離しが一時解除されたフロアを、所定時間の間サービス可能フロアとして表示してもよい。
【００４３】
なお、サービス切り離しレベル設定部１１を用いた各フロアのサービス切り離しレベルの設定は、群管理制御装置１において管理者が行うようにしてもよいし、エレベーター監視盤５から行うことができるようにしてもよい。
【００４４】
図３のフロー図は、この実施の形態におけるエレベーター制御装置の呼び登録動作を示すものである。
まず、ステップＳ１において、乗場呼び登録装置３又はかご呼び登録部Ａ２１ａやかご呼び登録部Ｂ２１ｂが操作されて、乗場呼び、かご呼びの種類を問わず新規の呼びが発生すると、ステップＳ２へと進む。このステップＳ２においては、乗場呼び登録制御部１２又はかご呼び登録制御部Ａ２２ａやかご呼び登録制御部Ｂ２２ｂは、操作された（ボタンであれば押下された）対象のフロアは、サービス切り離しとなっているフロアであるか否かを判定する。
【００４５】
このステップＳ２において、操作された（押下された）対象のフロアが、サービス切り離しとなっていないと判定された場合には、ステップＳ３へと進む。このステップＳ３においては、乗場呼び登録制御部１２又はかご呼び登録制御部Ａ２２ａやかご呼び登録制御部Ｂ２２ｂは、操作された（押下された）対象のフロアへの乗場呼び又はかご呼びを登録して、一連の動作フローは終了する。
【００４６】
一方、ステップＳ２において、操作された（押下された）対象のフロアが、サービス切り離しとなっていると判定された場合には、ステップＳ４へと進む。このステップＳ４においては、乗場呼び登録制御部１２又はかご呼び登録制御部Ａ２２ａやかご呼び登録制御部Ｂ２２ｂは、操作された（押下された）対象のフロアのサービス切り離しレベルがレベル１であるか否かを判定する。
【００４７】
ステップＳ４において、操作された（押下された）対象のフロアのサービス切り離しレベルがレベル１であると判定された場合には、ステップＳ５へと進む。このステップＳ５においては、乗場呼び登録制御部１２又はかご呼び登録制御部Ａ２２ａやかご呼び登録制御部Ｂ２２ｂは、操作された（押下された）対象のフロアを指定する一時解除信号が入力されたか否か（より正確には、一時解除信号が入力されてから所定時間以内であるか否か）を判定する。
【００４８】
ステップＳ５において、操作された（押下された）対象のフロアを指定する一時解除信号が入力されたと判定された場合には、ステップＳ３へと進む。このステップＳ３においては、乗場呼び登録制御部１２又はかご呼び登録制御部Ａ２２ａやかご呼び登録制御部Ｂ２２ｂは、操作された（押下された）対象のフロアへの乗場呼び又はかご呼びを登録して、一連の動作フローは終了する。
【００４９】
これに対し、ステップＳ５において、操作された（押下された）対象のフロアを指定する一時解除信号が入力されていないと判定された場合には、ステップＳ６へと進む。このステップＳ６においては、操作された（押下された）対象のフロアへの乗場呼び又はかご呼びは登録されずに、一連の動作フローは終了する。
【００５０】
また、一方、ステップＳ４において、操作された（押下された）対象のフロアのサービス切り離しレベルがレベル１でないと判定された場合には、操作された（押下された）対象のフロアのサービス切り離しレベルはレベル２であるということになる。従って、この場合は、一時解除信号の入力有無を確認することなく、ステップＳ６へと進み、操作された（押下された）対象のフロアへの乗場呼び又はかご呼びは登録されずに、一連の動作フローは終了する。
【００５１】
なお、ここでは、エレベーターの制御装置が、複数のエレベーターかごの運行を一群（バンク）として管理制御する群管理制御装置である場合について説明したが、例えばかごが１台のみであって群管理を行わないようなエレベーターの制御装置であってもよい。この場合には、例えば、群管理制御装置及びかご制御装置が有する機能を１つに集約した制御装置を用いる等すればよい。
【００５２】
また、ここでは、サービス切り離しレベル設定部１１は、１つのフロアにおいて、乗場呼びとかご呼びとを区別せずに、また、乗場呼びについても上方向乗場呼びと下方向乗場呼びとを区別せずに、一括して同一のサービス切り離しレベルを設定していた。しかし、これらの呼びの種類、すなわち、上方向乗場呼び及び下方向乗場呼び並びにかご呼びについて、それぞれ別個にサービス切り離しレベルを設定できるようにしてもよい。
【００５３】
さらにまた、一時解除信号入力装置４により入力された一時解除信号を、直接にかご制御装置Ａ２ａ及びかご制御装置Ｂ２ｂに入力するのではなく、群管理制御装置１を経由して群管理制御装置１のサービス切り離し一時解除情報送信部１５からかご制御装置Ａ２ａ及びかご制御装置Ｂ２ｂに一時解除信号を送信するようにしてもよい。
【００５４】
以上のように構成されたエレベーターの制御装置は、フロア毎について、第１のサービス切り離しレベルと第２のサービス切り離しレベルの２つのサービス切り離しレベルを設定するサービス切り離しレベル設定部と、利用者が所望するフロアへの呼び登録操作を行うための呼び登録部（乗場呼び登録装置、かご呼び登録部）と、呼び登録部が操作されると、所望するフロアについて第１のサービス切り離しレベル又は第２のサービス切り離しレベルが設定されている場合には当該フロアへの呼び登録を禁止し、所望するフロアについて第１のサービス切り離しレベル及び第２のサービス切り離しレベルのいずれも設定されていない場合には当該フロアへの呼び登録を行う呼び登録制御部（乗場呼び登録制御部、かご呼び登録制御部）と、を備えている。そして、呼び登録制御部は、所望するフロアについて第１のサービス切り離しレベルが設定されていても、当該フロアを指定する一時解除信号が入力された場合には、当該フロアへの呼び登録を行うようにしたものである。
【００５５】
このため、あるフロアについて、サービス切り離しの一時的な無効を許可するのか、あるいは、サービスを切り離した状態を維持するのかを柔軟に設定することが可能であり、エレベーターが設置された建物のセキュリティ性を向上することができることができる。
【産業上の利用可能性】
【００５６】
この発明は、建物のフロア毎について、当該フロアへの呼び登録を禁止するサービス切り離しを行うエレベーター制御装置に利用できる。
【符号の説明】
【００５７】
１    群管理制御装置
１１    サービス切り離しレベル設定部
１２    乗場呼び登録制御部
１３    サービス切り離しレベル情報送信部
１４    無人かご待機動作部
１５    サービス切り離し一時解除情報送信部
２ａ  かご制御装置Ａ
２ｂ  かご制御装置Ｂ
２１ａ  かご呼び登録部Ａ
２１ｂ  かご呼び登録部Ｂ
２２ａ  かご呼び登録制御部Ａ
２２ｂ  かご呼び登録制御部Ｂ
３    乗場呼び登録装置
４    一時解除信号入力装置
５    エレベーター監視盤
５１    サービス切り離しレベル１フロア
５２    サービス切り離しレベル２フロア
５３    登録済み乗場呼び
５４    登録済みかご呼び
５５    かご位置
【図１】
2012157092.tif 000003
【図２】
2012157092.tif 000004
【図３】
2012157092.tif 000005
【手続補正書】
【提出日】平成25年6月4日(2013.6.4)
【手続補正１】
【補正対象書類名】特許請求の範囲
【補正対象項目名】全文
【補正方法】変更
【補正の内容】
【特許請求の範囲】
【請求項１】
建物のフロア毎について、当該フロアへの呼び登録を禁止するサービス切り離しを行うエレベーター制御装置において、
前記フロア毎について、第１のサービス切り離しレベルと第２のサービス切り離しレベルの２つのサービス切り離しレベルを設定するサービス切り離しレベル設定部と、
利用者が所望するフロアへの呼び登録操作を行うための呼び登録部と、
前記呼び登録部が操作されると、前記所望するフロアについて前記第１のサービス切り離しレベル又は前記第２のサービス切り離しレベルが設定されている場合には当該フロアへの呼び登録を禁止し、前記所望するフロアについて前記第１のサービス切り離しレベル及び前記第２のサービス切り離しレベルのいずれも設定されていない場合には当該フロアへの呼び登録を行う呼び登録制御部と、を備え、
前記呼び登録制御部は、前記所望するフロアについて前記第１のサービス切り離しレベルが設定されていても、当該フロアを指定する一時解除信号が入力された場合に、前記一時解除信号が入力されてから所定時間以内に、前記呼び登録部において当該フロアへの呼び登録操作が行われた時に、当該フロアへの呼び登録を行い、
前記サービス切り離しレベル設定部は、上方向乗場呼び及び下方向乗場呼び並びにかご呼びについて、それぞれ別個に前記サービス切り離しレベルを設定可能であることを特徴とするエレベーターの制御装置。
【請求項２】
前記呼び登録制御部は、前記所望するフロアについて前記第１のサービス切り離しレベル又は前記第２のサービス切り離しレベルが設定されていても、利用者が要人である旨の信号が入力された場合には、前記建物の全フロアへの呼び登録を可能とすることを特徴とする請求項１に記載のエレベーターの制御装置。
【請求項３】
エレベーターのかごが無人となった場合に、所定のフロアにおいて当該無人となったかごを待機させる無人かご待機動作部を備え、
前記無人かご待機動作部は、前記所定のフロアに設定されている前記サービス切り離しレベルに応じて、当該フロアにおいて前記かごを待機させるか否かを決定することを特徴とする請求項１又は請求項２に記載のエレベーターの制御装置。
【請求項４】
エレベーターの運行状況を表示するエレベーター監視盤を備え、
前記エレベーター監視盤は、前記フロア毎に設定された前記サービス切り離しレベルの情報を表示することを特徴とする請求項１から請求項３のいずれかに記載のエレベーターの制御装置。
【請求項５】
前記エレベーター監視盤は、前記第１のサービス切り離しレベルに設定されているフロアと前記第２のサービス切り離しレベルに設定されているフロアとを区別可能に表示することを特徴とする請求項４に記載のエレベーターの制御装置。
【請求項６】
前記エレベーター監視盤は、前記第１のサービス切り離しレベルが設定されているフロアについて当該フロアを指定する一時解除信号が入力された場合には、当該フロアを呼び登録可能なフロアとして表示することを特徴とする請求項４又は請求項５のいずれかに記載のエレベーターの制御装置。
【手続補正２】
【補正対象書類名】明細書
【補正対象項目名】００１０
【補正方法】変更
【補正の内容】
【００１０】
この発明に係るエレベーターの制御装置は、建物のフロア毎について、当該フロアへの呼び登録を禁止するサービス切り離しを行うエレベーター制御装置において、前記フロア毎について、第１のサービス切り離しレベルと第２のサービス切り離しレベルの２つのサービス切り離しレベルを設定するサービス切り離しレベル設定部と、利用者が所望するフロアへの呼び登録操作を行うための呼び登録部と、前記呼び登録部が操作されると、前記所望するフロアについて前記第１のサービス切り離しレベル又は前記第２のサービス切り離しレベルが設定されている場合には当該フロアへの呼び登録を禁止し、前記所望するフロアについて前記第１のサービス切り離しレベル及び前記第２のサービス切り離しレベルのいずれも設定されていない場合には当該フロアへの呼び登録を行う呼び登録制御部と、を備え、前記呼び登録制御部は、前記所望するフロアについて前記第１のサービス切り離しレベルが設定されていても、当該フロアを指定する一時解除信号が入力された場合に、前記一時解除信号が入力されてから所定時間以内に、前記呼び登録部において当該フロアへの呼び登録操作が行われた時に、当該フロアへの呼び登録を行い、前記サービス切り離しレベル設定部は、上方向乗場呼び及び下方向乗場呼び並びにかご呼びについて、それぞれ別個に前記サービス切り離しレベルを設定可能である構成とする。
【手続補正書】
【提出日】平成26年5月14日(2014.5.14)
【手続補正１】
【補正対象書類名】特許請求の範囲
【補正対象項目名】全文
【補正方法】変更
【補正の内容】
【特許請求の範囲】
【請求項１】
建物のフロア毎について、当該フロアへの呼び登録を禁止するサービス切り離しを行うエレベーター制御装置において、
前記フロア毎について、第１のサービス切り離しレベルと第２のサービス切り離しレベルの２つのサービス切り離しレベルを設定するサービス切り離しレベル設定部と、
利用者が所望するフロアへの呼び登録操作を行うための呼び登録部と、
前記呼び登録部が操作されると、前記所望するフロアについて前記第１のサービス切り離しレベル又は前記第２のサービス切り離しレベルが設定されている場合には当該フロアへの呼び登録を禁止し、前記所望するフロアについて前記第１のサービス切り離しレベル及び前記第２のサービス切り離しレベルのいずれも設定されていない場合には当該フロアへの呼び登録を行う呼び登録制御部と、を備え、
前記呼び登録制御部は、前記所望するフロアについて前記第１のサービス切り離しレベルが設定されていても、当該フロアを指定する一時解除信号が入力された場合に、前記一時解除信号が入力されてから所定時間以内に、前記呼び登録部において当該フロアへの呼び登録操作が行われた時に、当該フロアへの呼び登録を行うとともに、前記所望するフロアについて前記第２のサービス切り離しレベルが設定されている場合には、当該フロアを指定する一時解除信号が入力されても、当該フロアへの呼び登録を行わず、
前記サービス切り離しレベル設定部は、上方向乗場呼び及び下方向乗場呼び並びにかご呼びについて、それぞれ別個に前記サービス切り離しレベルを設定可能であることを特徴とするエレベーターの制御装置。
【請求項２】
前記呼び登録制御部は、前記所望するフロアについて前記第１のサービス切り離しレベル又は前記第２のサービス切り離しレベルが設定されていても、利用者が要人である旨の信号が入力された場合には、前記建物の全フロアへの呼び登録を可能とすることを特徴とする請求項１に記載のエレベーターの制御装置。
【請求項３】
エレベーターのかごが無人となった場合に、所定のフロアにおいて当該無人となったかごを待機させる無人かご待機動作部を備え、
前記無人かご待機動作部は、前記所定のフロアに設定されている前記サービス切り離しレベルに応じて、当該フロアにおいて前記かごを待機させるか否かを決定することを特徴とする請求項１又は請求項２に記載のエレベーターの制御装置。
【請求項４】
エレベーターの運行状況を表示するエレベーター監視盤を備え、
前記エレベーター監視盤は、前記フロア毎に設定された前記サービス切り離しレベルの情報を表示することを特徴とする請求項１から請求項３のいずれかに記載のエレベーターの制御装置。
【請求項５】
前記エレベーター監視盤は、前記第１のサービス切り離しレベルに設定されているフロアと前記第２のサービス切り離しレベルに設定されているフロアとを区別可能に表示することを特徴とする請求項４に記載のエレベーターの制御装置。
【請求項６】
前記エレベーター監視盤は、前記第１のサービス切り離しレベルが設定されているフロアについて当該フロアを指定する一時解除信号が入力された場合には、当該フロアを呼び登録可能なフロアとして表示することを特徴とする請求項４又は請求項５のいずれかに記載のエレベーターの制御装置。
【手続補正２】
【補正対象書類名】明細書
【補正対象項目名】００１０
【補正方法】変更
【補正の内容】
【００１０】
この発明に係るエレベーターの制御装置は、建物のフロア毎について、当該フロアへの呼び登録を禁止するサービス切り離しを行うエレベーター制御装置において、前記フロア毎について、第１のサービス切り離しレベルと第２のサービス切り離しレベルの２つのサービス切り離しレベルを設定するサービス切り離しレベル設定部と、利用者が所望するフロアへの呼び登録操作を行うための呼び登録部と、前記呼び登録部が操作されると、前記所望するフロアについて前記第１のサービス切り離しレベル又は前記第２のサービス切り離しレベルが設定されている場合には当該フロアへの呼び登録を禁止し、前記所望するフロアについて前記第１のサービス切り離しレベル及び前記第２のサービス切り離しレベルのいずれも設定されていない場合には当該フロアへの呼び登録を行う呼び登録制御部と、を備え、前記呼び登録制御部は、前記所望するフロアについて前記第１のサービス切り離しレベルが設定されていても、当該フロアを指定する一時解除信号が入力された場合に、前記一時解除信号が入力されてから所定時間以内に、前記呼び登録部において当該フロアへの呼び登録操作が行われた時に、当該フロアへの呼び登録を行うとともに、前記所望するフロアについて前記第２のサービス切り離しレベルが設定されている場合には、当該フロアを指定する一時解除信号が入力されても、当該フロアへの呼び登録を行わず、前記サービス切り離しレベル設定部は、上方向乗場呼び及び下方向乗場呼び並びにかご呼びについて、それぞれ別個に前記サービス切り離しレベルを設定可能である構成とする。
【国際調査報告】
2012157092.tif 000006
2012157092.tif 000007
2012157092.tif 000008
2012157092.tif 000009